(57)【要約】  収容加熱ユニットは、発熱体１の筺体２に固定したスリーブ９及びその中の摺動挿入部５を含む。密封環１１は、摺動挿入部５の下方部のカラー１０とスリーブ９の前面の間の環状溝に配置される。スリーブ９及びスプリング４の作用に反する摺動挿入部５の軸の周りで回転でき、摺動挿入部５を昇降するための手段を具備する、スイッチアーム３を具備するスイッチ８がある。ボトル２１の口部２２を把持するための手段は、口部２２によって動かされる第１のアーム２３、及びスイッチアーム３を係止する第２のアーム２０を有する、別のスプリング１９の作用に反して傾動自在のレバー１５である。
2011519751.tif 000002
【特許請求の範囲】
【請求項１】
ボトルの口部を把持し密封するための手段と、環状の発熱体と、前記発熱体のためのスイッチとを含む、ボトル圧縮装置で使用するための収容加熱ユニットであって、
ボトル（２１）の前記口部（２２）を密封するための前記手段が、前記発熱体（１）の筺体（２）に固定されたスリーブ（９）及びその中の摺動挿入部（５）であり、そこで、可撓性密封環（１１）が前記摺動挿入部（５）の下方部分のカラー（１０）と前記スリーブ（９）の前面との間の環状溝に配置されることと、
前記スイッチ（８）が、前記スリーブ（９）及びスプリング（４）の作用に反する前記摺動挿入部（５）の軸の周りで回転できるスイッチアーム（３）を具備し、前記摺動挿入部（５）を昇降させるための手段を具備していることと、
ボトル（２１）の前記口部（２２）を把持するための前記手段が、前記発熱体（１）の前記筺体（２）に配置されたレバー（１５）であり、別のスプリング（１９）の作用に反して傾動自在であり、前記ボトル（２１）の前記口部（２２）によって動かされる第１の下方アーム（２３）、及び前記スイッチアーム（３）を係止する第２の上方アーム（２０）を有することとを特徴とする、収容加熱ユニット。
【請求項２】
前記スイッチアーム（３）が前記摺動挿入部（５）のスタブ（６）の周りで回転できることを特徴とする、請求項１に記載の収容加熱ユニット。
【請求項３】
前記摺動挿入部（５）を昇降させる前記手段が、作動カム又は案内曲線であることを特徴とする、請求項１又は２に記載の収容加熱ユニット。
【請求項４】
前記スリーブ（９）の上方前部に案内曲線又は作動カムがあり、前記スイッチアーム（３）上の前記作動カム又は案内曲線と協同することを特徴とする、請求項３に記載の収容加熱ユニット。
【請求項５】
前記スイッチアーム（３）を係止する、ボトル（２１）の前記口部（２２）を把持するための前記手段である前記上方アーム（２０）が、ボトル（２１）が前記ユニットに挿入されるまで、前記スイッチアーム（３）の回転を阻止する位置にあることを特徴とする、請求項１から４までのいずれかに記載の収容加熱ユニット。
【請求項６】
前記スイッチ（８）が前記スイッチアーム（３）を収縮させるための電磁石を具備することを特徴とする、請求項１から５までのいずれかに記載の収容加熱ユニット。
【請求項７】
前記発熱体（１）が前記スイッチ（８）に結合したエンドスイッチ（２５）を具備することを特徴とする、請求項１から６までのいずれかに記載の収容加熱ユニット。
【請求項８】
前記発熱体（１）が前記スイッチ（８）に結合したタイムスイッチ（２６）を具備することを特徴とする、請求項１から７までのいずれかに記載の収容加熱ユニット。
【発明の詳細な説明】
【技術分野】
【０００１】
本発明の目的は、ボトルの口部を把持し密封するための手段と、環状の発熱体と、前記発熱体のためのスイッチとを含む、ボトル圧縮装置で使用するための収容加熱ユニットである。
【背景技術】
【０００２】
飲み物及び他の食品が販売のためにますます頻繁にプラスチックボトルに充填され、製造業者は買戻し可能ボトルよりも使い捨てボトルを生産することを望んでいることが知られている。したがって、これらのボトルは廃棄物投棄場に又は自然の中に大量に持ち込まれ、そのことによって環境が汚染され、又は廃棄物の量が非常に増加している。
【０００３】
上記の問題を、少なくとも部分的に解消するために、このようなボトルの家庭内の消滅又はコンパクト化に対して多数の提案がなされた。
【０００４】
知られているボトルコンパクタは一般に、ボトルを収容する筺体すなわち枠と、加熱手段と、圧縮手段とを含む。
【０００５】
ＥＰ０７０７９３２では、空のボトルを収容するように設計した筺体を含むボトルコンパクタが開示されている。その筺体は、抵抗器及びカーソルを具備し、カーソルの端部はプラスチックボトルの首部に噛み合うフォーク状に形成される。フォークを備えたカーソルが加熱され軟化したボトルを上下逆に圧縮する。
【０００６】
ＦＲ２６６８７３２に記載の機器の底には、分離した加熱室があり、そこでは、空気が抵抗加熱によって加熱され、加熱された空気がプラスチックボトルを含む空間にファンによって拍出され、プラスチックボトルはモータ駆動のスピンドルによって移動したプレートによってコンパクト化される。
【０００７】
上記装置では、ボトルは下から加熱され、通常上側から圧縮される。結果として、折りたたまれたプラスチック層は不規則であり、この方法では、最善の圧縮は達成できない。
【０００８】
他の装置では、加熱は、装置の全長に沿って、及び／又はボトル内に貫入するパトローネによって提供される。このような機器は、たとえばＦＲ２６９２１９０に記載されている。この場合、上記の不利益、すなわち不規則な圧縮が特に顕著であり、加えて、エネルギ消費もまた著しく増加する。
【０００９】
ＦＲ２７１２２３０では、開示された機器は、上部から下部へ、下部から上部への両方で圧縮されるボトル内に貫入するセントラルヒータを備えた密封筺体を有する。これの不利点は、圧縮で必要とされるエネルギが不必要に増加することであり、さらに、複雑かつ高額であることである。
【００１０】
ＷＯ０３／０５９６０６では、筺体すなわち枠が口部を上向きにしてボトルを収容するように構成され、ボトルを取り囲む発熱体又は発熱体の一部が最大６０ｍｍの高さであり、その開始位置でボトルの首部の周りに配置され、固定要素が、ボトルの口に適合し、かつ断面が望ましくは調整可能であり、望ましくは流れ制御手段を備えた空気流路を有する、圧縮手段の密封可能な栓である、機器が開示されている。
【００１１】
この構成は従来の装置の欠点の多くを解消するが、発熱体を含むユニットはかなり容積が大きく、その操作にもあまりに多くのステップが必要とされる。
【先行技術文献】
【特許文献】
【００１２】
【特許文献１】ＥＰ０７０７９３２
【特許文献２】ＦＲ２６６８７３２
【特許文献３】ＦＲ２６９２１９０
【特許文献４】ＦＲ２７１２２３０
【特許文献５】ＷＯ０３／０５９６０６
【発明の概要】
【発明が解決しようとする課題】
【００１３】
したがって、本発明の目的は、空のプラスチックボトルをコンパクト化するための安価で簡単な装置を提供することであり、より詳細には、安全に操作でき、広い空間と多くの操作ステップを必要としない、ボトル圧縮装置で使用するための収容加熱ユニットを提供することである。
【課題を解決するための手段】
【００１４】
本発明によれば、ボトル圧縮装置で使用するための収容加熱ユニットは、ボトルの口部を把持し密封するための手段と、環状の発熱体と、前記発熱体のためのスイッチとを含み、ボトルの口部を密封するための前記手段が、発熱体の筺体に固定されるスリーブ及びその中の摺動挿入部である。摺動挿入部の下方部分とスリーブの前面の間の環状溝内に配置される、可撓性密封環がある。スイッチは、スプリングの作用に反して、スリーブの軸の周りで回転できるスイッチアームを具備する。スイッチアームはスリーブを昇降させる手段を具備する。ボトルの口部を把持するための前記手段は、スプリング力に反して、発熱体の筺体に傾動自在に配置されたレバーである。レバーは、ボトルの口部によって動く第１の下方アームと、望ましくは摺動挿入部のスタブの周りで回転できる、スイッチアームを係止する第２の上方アームとを有する。
【００１５】
摺動挿入部を昇降させる手段は、作動カム又は案内曲線であってよく、一方、スイッチアーム上の作動カム又は案内曲線と協同する、スリーブの上方前面の案内曲線又は作動カムが存在してよい。
【００１６】
好ましい実施例では、スイッチアームを係止しているボトルの口部を把持するための手段の上方アームが、ボトルがユニットに挿入されるまでスイッチアームが回転するのを阻止する位置にある。
【００１７】
別の好ましい実施例では、発熱体のスイッチは、スイッチアーム及び／又はエンドスイッチ（２５）及び／又はタイムスイッチを収縮させるための電磁石を具備する。
【００１８】
本発明のさらなる詳細が、添付図面に示された実施例によって説明される。
【図面の簡単な説明】
【００１９】
【図１】本発明による収容加熱ユニットの好ましい実施例の斜視図である。
【図２】作動休止中の、図１に示した実施例のＡ−Ａ断面図である。
【図３】中にボトルを伴った、図１に示した実施例のＡ−Ａ断面図である。
【発明を実施するための形態】
【００２０】
図１から３に示した本発明による収容加熱ユニットは、発熱体１と、圧縮されるボトルを収容するように設計された発熱体の筺体２に搭載されたスイッチユニットとを含む。スイッチユニットは、摺動挿入部５のスタブ６上で、スプリング４に反して回転できるスイッチアーム３を具備する。スイッチ８を作動させるためにスイッチアーム３の延長上に接点７がある。スイッチ８が閉じられると、発熱体１は電磁石と共に作動し、電磁石はスイッチアーム３を閉位置に保持する。
【００２１】
スイッチアーム３を支持する摺動挿入部５はスリーブ９に配置され、下方端部にカラー１０を具備する。このカラー１０とスリーブ９の環状前面との間に、可撓性密封環１１を受ける環状溝が形成される。
【００２２】
スイッチアーム３はボルトピン１２によって摺動挿入部５のスタブ６に固定され、このようにして、両部品は同時に昇降することができる。この目的のために、摺動部９の上方環状前面は案内曲線１３が具備され、スイッチアーム３の底部には作動カム１４がある。したがって、摺動挿入部５は、スイッチアーム３が回転すると、上昇する。
【００２３】
装置にボトルがないときに、発熱体１のスイッチが入るのを阻止するために、ボトルが装置に収容されるまで、スイッチアーム３は回転に対して係止される。係止作用は、発熱体１の筺体２に搭載されたブラケット１６に配置された水平ピン１７の周りで回転できるレバー１５により提供される。レバー１５の上方アーム２０に隣接するように、スイッチアーム３の中間点に留め金１８があり、レバー１５はスイッチアーム３の回転を阻止するようにスプリング１９によって保持される（図２参照）。
【００２４】
ボトル２１が装置に装着されると、口部２１がレバー１５の下方アーム２３を上昇させ、次に、上方アーム２０がスプリング１９の力に反して旋回し、スイッチアーム３を回転させる（図３参照）。
【００２５】
スイッチアーム３が回転すると、
摺動挿入部５が上昇して密封環１１を圧縮し、したがって密封環１１はボトル２１の口部２２の内側表面に圧迫され、次にボトル２１は装置に捕捉され、
スイッチ８がスイッチアーム３の端部で接点７によって作動され、次にスイッチアーム３は電磁石と発熱体１のスイッチを入れる。
【００２６】
発熱体１によって産生された熱は、ボトル２１の素材を軟化させ、次にボトル２１は収容加熱ユニットの重量によって圧縮される。圧縮が終了すると、収容加熱ユニットは装置の底部に到達し、発熱ユニット１の筺体２に搭載されたエンドスイッチ２４が発熱を停止し、電磁石を解除する。いずれかが故障した場合には、発熱ユニット１の筺体２に同様に搭載されたタイムスイッチも発熱を停止する。
【００２７】
図面に示した実施例は本発明を例示しただけであり、当業者が添付の特許請求の範囲に定義される範囲内で変形形態を構成することができることに留意されたい。
【図１】
2011519751.tif 000003
【図２】
2011519751.tif 000004
【図３】
2011519751.tif 000005
【国際調査報告】
2011519751.tif 000006
2011519751.tif 000007
2011519751.tif 000008